(57)【要約】      （修正有）【課題】廃プラ・廃油のリサイクルシステムを提供することにある。【解決手段】再生燃料を使用するユーザーとをインターネットを介して相互に接続し、エリア支部によって廃プラ・廃油から生成された前記再生燃料に関する情報を前記リサイクル本部で収集するようにした廃プラ・廃油のリサイクルシステムであって、前記エリア支部から前記リサイクル本部に前記再生燃料の再生量情報を送る燃料情報通知手段と、前記エリア支部および前記ユーザーから前記リサイクル本部に再生燃料の過不足情報を送る過不足情報通知手段と、前記リサイクル本部に設けられたホストコンピュータにより、前記燃料情報通知手段および前記過不足情報通知手段から送られた情報を地域ごとに集計する集計処理手段と、該集計処理手段の集計結果に基づいて、燃料余剰地域のエリア支部から燃料不足地域のエリア支部に前記再生燃料を送るように制御する搬送制御手段とを備えた。【選択図】    図１
2004348624.tif 000002
【特許請求の範囲】
【請求項１】
リサイクル本部と、所定範囲の地域を管轄するエリア支部と、再生燃料を使用するユーザーとをインターネットを介して相互に接続し、前記エリア支部によって廃プラ・廃油から生成された前記再生燃料に関する情報を前記リサイクル本部で収集するようにした廃プラ・廃油のリサイクルシステムであって、
前記エリア支部から前記リサイクル本部に前記再生燃料の再生量情報を送る燃料情報通知手段と、
前記エリア支部および前記ユーザーから前記リサイクル本部に再生燃料の過不足情報を送る過不足情報通知手段と、
前記リサイクル本部に設けられたホストコンピュータにより、前記燃料情報通知手段および前記過不足情報通知手段から送られた情報を地域ごとに集計する集計処理手段と、
該集計処理手段の集計結果に基づいて、燃料余剰地域のエリア支部から燃料不足地域のエリア支部に前記再生燃料を送るように制御する搬送制御手段と
を備えたことを特徴とする廃プラ・廃油のリサイクルシステム。
【請求項２】
前記搬送制御手段は、前記燃料余剰地域のエリア支部から燃料不足のユーザーに、再生燃料を送るようにした請求項１に記載の廃プラ・廃油のリサイクルシステム。
【請求項３】
前記リサイクル本部は、前記エリア支部からの過不足情報に基づいて、前記燃料余剰地域のエリア支部に対して、前記燃料不足地域のエリア支部のうち最近隣のエリア支部に余剰再生燃料を供給するように指示する請求項１に記載の廃プラ・廃油のリサイクルシステム。
【請求項４】
前記リサイクル本部は、前記ユーザーからの過不足情報に基づいて、前記燃料余剰地域のエリア支部に対して、前記燃料不足のユーザーのうち最近隣のユーザーに余剰再生燃料を供給するように指示する請求項１に記載の廃プラ・廃油のリサイクルシステム。
【請求項５】
前記再生燃料は、前記ホストコンピュータで、重油、軽油、灯油などの油種ごとに集計される請求項１に記載の廃プラ・廃油のリサイクルシステム。
【請求項６】
前記所定範囲の地域には、１つのエリア支部のみが設置される請求項１に記載の廃プラ・廃油のリサイクルシステム。
【発明の詳細な説明】
【０００１】
【発明の属する技術分野】
本発明は、企業などから回収された使用済みの廃プラ・廃油から再生油を生成し、その有効利用を図るようにした廃プラ・廃油のリサイクルシステムに関する。
【０００２】
【従来の技術】
ポリエチレンやポリ塩化ビニルなどのプラスチックは、成形性と耐久性に優れているため、製品の容器、包装、外枠などに用いられる。その結果、廃プラ・廃油は、製品の型抜きの残り屑や成型時の切り残りなどの加工工程で、大量の廃プラ・廃油が発生する。
【０００３】
大量の廃プラ・廃油が発生することは、種々の社会問題を引き起こし、特に、環境保護の観点から社会的な問題になっている。つまり、これらの廃プラ・廃油は、廃棄物として焼却する場合、焼却炉の燃焼温度が上昇し、焼却炉が損傷したり、燃焼時に有害な塩化水素やダイオキシンを大量に発生するという問題があった。そのため、このような廃プラ・廃油は、埋立処分にすることが多いが、プラスチックは腐敗しにくいという性質のため、土壌が固化せず、土地利用に支障をきたすという問題もあった。よって、廃プラ・廃油を有効に資源としてリサイクルすることが、環境保全や省エネルギーという観点から望まれていた。
【０００４】
そこで、廃プラ・廃油を、油化することによって製鉄高炉などで還元剤として利用するリサイクルシステムが提案されている。このリサイクルシステムは、例えば特許文献１に示すように、廃プラ・廃油を油化プラントで油化し、その再生油をリサイクルして有効に利用するようになっている。この特許文献１では、図６に示すように、廃プラ・廃油を破砕機５１に装填して、該破砕機５１で破砕して破砕片とし、乾燥機５２および脱塩素装置５３で乾燥および塩素処理を施し、分留装置５４で加熱処理によって逐次分留するようになっている。
【０００５】
そして、破砕片は、スクリュー５５，５６で搬送される過程で、加熱装置５７，５８，５９によって過熱処理が施される。これにより、気化した油成分は、スクラバー６０で処理されて採集タンク６１で再生油として採集される。その際、例えば重油相当の再生油は、混合装置６２で上記油成分と軽油又は灯油とを混合して得られ、軽油相当の再生油は、上記油成分を水タンク６３内の水と混合してエマルジョン化することで得られる。
【０００６】
また、この再生油は、図７に示すように、ガソリンステーションなどに設置された混合プラント７１は、廃油タンク７２と、水タンク７３と、アルコールタンク７４と、界面活性剤タンク７５とを備えている。このタンク７２，７３，７４，７５には、それぞれ混合装置７６が接続され、その混合液体の流量は、流量計７７によって計測され、その値は、インターネットを介して管理センター７８のコンピュータ７９に送られる。そして、この流量は、コンピュータ７９に入力され、管理センター７８で集中的に管理するような管理システムが構成されている。
【０００７】
【特許文献１】
特開２００３−５５６７３号公報
【０００８】
【発明が解決しようとする課題】
ところが、この管理システムは、混合油の量と混合装置７６のリース使用料を算定するだけであり、油化プラント７１によって生成された再生油を、インターネットなどのネットワークを利用して有効に活用するようにしたものではなかった。
【０００９】
なお、本願出願人は、平成１４年９月２日に提出した特願２００２−２５６４２６号で、食品廃棄物の食品リサイクルシステムに関し、特に、インターネットなどのネットワークを利用し、食品廃棄物の肥料への再利用を図ると同時に、この肥料を用いて農産物を生産し、生産された農産物を食品廃棄物の排出者やその他利用者に流通させる食品リサイクルシステムを提案した。
【００１０】
しかし、このリサイクルシステムは、インターネットなどのネットワークを介して各地域における肥料や農産物の生産量と消費量に関する情報を収集して、肥料を農産物の過不足状況を把握するようにしたものである。
【００１１】
そのため、リサイクルの対象が異なり、その目的や構成が異なるものである。すなわち、廃プラ・廃油の有効利用を対象とするものではなかった。
【００１２】
そこで、本発明の目的は、リサイクル本部と、エリア支部やユーザーとを相互に接続するインターネットを利用して、各地域における燃料の需給情報や、廃プラ・廃油から生成された再生燃料に関する情報をリサイクル本部で収集し、再生燃料の過不足状況を緩和するようにした廃プラ・廃油のリサイクルシステムを提供することにある。
【００１３】
【課題を解決するための手段】
本発明の上記目的は、リサイクル本部と、所定範囲の地域を管轄するエリア支部と、再生燃料を使用するユーザーとをインターネットを介して相互に接続し、前記エリア支部によって廃プラ・廃油から生成された前記再生燃料に関する情報を前記リサイクル本部で収集するようにした廃プラ・廃油のリサイクルシステムであって、前記エリア支部から前記リサイクル本部に前記再生燃料の再生量情報を送る燃料情報通知手段と、前記エリア支部および前記ユーザーから前記リサイクル本部に再生燃料の過不足情報を送る過不足情報通知手段と、前記リサイクル本部に設けられたホストコンピュータにより、前記燃料情報通知手段および前記過不足情報通知手段から送られた情報を地域ごとに集計する集計処理手段と、該集計処理手段の集計結果に基づいて、燃料余剰地域のエリア支部から燃料不足地域のエリア支部に前記再生燃料を送るように制御する搬送制御手段とを備えたことにより、達成される。
【００１４】
また、本発明の上記目的は、前記搬送制御手段を、前記燃料余剰地域のエリア支部から燃料不足のユーザーに、再生燃料を送るようにしたことにより、効果的に達成される。
【００１５】
また、本発明の上記目的は、前記リサイクル本部により、前記エリア支部からの過不足情報に基づいて、前記燃料余剰地域のエリア支部に対して、前記燃料不足地域のエリア支部のうち最近隣のエリア支部に余剰再生燃料を送るように指示されることにより、また、前記リサイクル本部により、前記ユーザーからの過不足情報に基づいて、前記燃料余剰地域のエリア支部に対して、前記燃料不足のユーザーのうち最近隣のユーザーに余剰再生燃料を送るように指示されることにより、効果的に達成される。
【００１６】
さらに、本発明の目的は、前記再生燃料を、前記ホストコンピュータで、重油、軽油、灯油などの油種ごとに集計することにより、また、前記所定範囲の地域には、１つのエリア支部のみを設置することにより、より効果的に達成される。
【００１７】
【発明の実施の形態】
以下、図面を参照しながら、本発明の実施形態を説明する。
【００１８】
図１に示すように、リサイクル本部１は、廃プラ・廃油から再生油を再生するエリア支部２と、該エリア支部２によってリサイクルされた再生油をボイラー（燃焼装置）などの再生燃料として使用するユーザー３とをインターネットＩによって相互に接続されている。
【００１９】
また、エリア支部２は、予め設定された所定範囲の地域ごとに、エリアＡ，エリアＢ，エリアＣ，エリアＤ，・・・として各別に管轄される。この各エリアには、それぞれ１つのエリア支部２のみが設置され、エリア支部２は、図２に示すように、廃プラ・廃油を排出する廃プラサプライヤー４から排出又は回収される廃プラ・廃油を再生燃料に再生する。また、廃プラ・廃油のリサイクルは、図３に示すように、収集した廃プラや廃油を分別・破砕し、溶解槽で熱分解等の熱処理によってガス化させ、冷却コンデンサによって液化することによって分解生成油を生成させる。そして、精製槽で触媒によりガス化させ、冷却コンデンサによって液化することによって、ナフサ，軽油，灯油，重油，ガソリンなどに相当する再生油に再生し、油槽貯蔵タンクに蓄積するようになっている。
【００２０】
ここで、廃プラ・廃油のリサイクルフローにおけるエリア支部２は、次のような役割を担う。例えば、図３（ａ）に示すように、エリア支部２が、自らの工場などの廃プラ・廃油の廃プラサプライヤーとして廃プラ・廃油を排出するとともに、この廃プラや廃油を再生する場合（その１）や、図３（ｂ）に示すように、エリア支部２は、他の工場などの廃プラ・廃油の廃プラサプライヤーを回って廃プラや廃油を回収し、この廃プラや廃油を再生する場合（その２）や、図３（ｃ）に示すように、エリア支部２は、他の工場などの廃プラ・廃油の廃プラサプライヤーから、廃プラや廃油などを回収業者を介して収集し、この廃プラや廃油を再生する場合（その３）などが考えられるが、これに限定されるものではない。
【００２１】
また、エリア支部２は、インターネットＩを介してリサイクル本部１に接続され、ホストコンピュータ１ａで、燃料の過不足量と再生燃料の再生量とをリサイクル本部１に送るようになっている。リサイクル本部１では、この情報に基づいてエリアごとに燃料の過不足量と再生燃料の再生量を逐次集計処理を行うようになっている。
【００２２】
また、ユーザー３は、各エリア内に位置する１又は複数のエリア内ユーザー３ａと、前記エリアＡ，Ｂ，Ｃ，Ｄ，・・・などのエリアに属さない１又は複数のエリア外ユーザー３ｂとに分けられる。このうち、エリア内ユーザー３ａは、インターネットＩを介してエリア支部２に接続され、ユーザー３ａごとに燃料の過不足情報をエリア支部２の端末コンピュータ（図示しない）に送るようになっている。
【００２３】
これを受けて、エリア支部２は、エリア内ユーザー３ａの燃料の過不足情報に基づいて、該エリア内ユーザー３ａと同一エリアのエリア支部２から、該エリア支部２の再生燃料に余剰がある場合、燃料不足のエリア内ユーザー３ａに再生燃料が搬送される。一方、同一エリアのエリア支部２の再生燃料に余剰がない場合、他エリアのエリア支部２から再生燃料が搬送される。そして、エリア支部２は、定期的に、エリア内ユーザー３ａからの燃料の過不足情報を集計して、リサイクル本部１に送るようになっている。
【００２４】
一方、エリア外ユーザー３ｂは、インターネットＩを介してリサイクル本部１に直接に接続され、燃料の過不足情報をリサイクル本部１に送り、該リサイクル本部１から最近隣の燃料余剰エリアのエリア支部２から再生燃料が送られるようになっている。
【００２５】
その結果、リサイクル本部１では、インターネットＩを介して、エリア支部２を中継して、エリア内ユーザー３ａから燃料の過不足情報を受けるとともに、エリア外ユーザー３ｂから直接に燃料の過不足情報を受け、エリアごとエリア支部２やエリア内ユーザー３ａごとに、又は、エリア外ユーザー３ｂごとに、再生燃料の過不足情報の集計処理を行うようになっている。そして、この集計結果に基づいて、エリア支部２に再生燃料の搬送量および搬送経路を指示する情報を送るようになっている。
【００２６】
すなわち、リサイクル本部１での集計結果に基づいて、ホストコンピュータ１ａは、再生燃料の余剰地域のエリア支部２と燃料不足地域のエリア支部２を特定し、燃料余剰地域のエリア支部２に、燃料不足地域のエリア支部２に所定量だけ搬送するように指示するとともに、エリア支部２から燃料不足のエリア内ユーザー３ａに再生燃料を送るように指示するようになっている。また、燃料不足のエリア外ユーザー３ｂには、リサイクル本部１により、最近隣の燃料余剰地域のエリア支部２が特定され、該エリア支部２から再生燃料が送られるようになっている。
【００２７】
例えば、図４に示すように、エリア支部Ａは、重油相当の再生油が２５だけ不足していて、エリア支部Ｂやエリア支部Ｃは、２５および５だけ余剰である。その際、リサイクル本部１では、エリア支部Ｂやエリア支部Ｃのうち、エリア支部Ａから最近隣のエリア支部、例えばエリア支部Ｂの方がエリア支部Ｃよりも近くに位置する場合、２５の再生燃料を、図２の一点鎖線矢印に示すように、エリア支部Ｂからエリア支部Ａに送った後、燃料不足のユーザー３ａに送るようになっている。同様に、エリア外ユーザーｘは、軽油相当の再生油が２だけ不足していて、エリア支部Ａやエリア支部Ｂは、７０および１０だけ余剰である。その際、リサイクル本部１では、エリア外ユーザーｘから最近隣のエリア支部、例えばエリア支部Ａの方がエリア支部Ｂよりも近くに位置する場合、２の再生燃料を、図２の二点鎖線矢印に示すように、エリア支部Ａからエリア外ユーザーｘに送るようになっている。
【００２８】
また、リサイクル本部１のホストコンピュータ１ａでは、エリア支部２の再生燃料の生成量、およびエリア支部２やエリア外ユーザー３ｂにおける再生燃料の過不足量を収集して管理するだけでなく、純油生産量と、その在庫量や販売量と、輸送状況と、それらの決済状況などの各種情報を一括して管理するようになっている。さらに、リサイクル本部１では、これらの各種情報をインターネット上で公開し、エリア支部２だけでなく一般ユーザーも各自端末から確認することができる。
【００２９】
次に、再生燃料の搬送計画を、図５に基づいて説明する。
【００３０】
まず、ａ１で、廃プラ・廃油は、廃プラサプライヤー４からエリア支部２に送られる。エリア支部２では、この廃プラ・廃油を液化・精製して再生燃料を生成する。
【００３１】
また、ａ２で、エリア内ユーザー３ａは、再生燃料の過不足情報をエリア支部２に送ると、エリア支部２は、ａ３で、エリア内ユーザー３ａに確認信号を送る。さらに、エリア支部２は、所定の期間ごとに、エリア内ユーザー３ａからの過不足情報を集計し、その結果を、ａ４で、エリア支部２は、再生燃料の再生量とともに、リサイクル本部１のホストコンピュータ１ａに送る。
【００３２】
そして、リサイクル本部１では、ａ５で、ホストコンピュータ１ａからエリア支部２に確認信号を送るとともに、ａ６で、エリア外ユーザー３ｂから再生燃料の過不足情報を受けて、ａ７で、エリア外ユーザー３ｂに確認信号を送る。その結果、リサイクル本部１では、エリア支部２からエリア別の再生燃料の再生量および燃料種別と、過不足情報と、エリア外ユーザー３ｂから再生燃料の過不足情報とを集計する。この集計結果に基づいて、リサイクル本部１では、ａ８で、エリア支部２に対して、他のエリア支部２、並びにエリア内ユーザー３ａやエリア外ユーザー３ｂへの再生燃料の搬送経路および搬送量を指示する情報を送る。すなわち、エリア支部２は、リサイクル本部１からの指示に従って、ａ９およびａ１０で、他のエリア支部２およびエリア外ユーザー３ｂに再生燃料を送る。
【００３３】
その際、リサイクル本部１は、ホストコンピュータ１ａに、予めエリアごとに分けられたエリア支部２の所在地間の距離を距離データとして記憶していて、この距離データおよび過不足データに基づいて、再生燃料の搬送経路や搬送量が決定される。
【００３４】
よって、廃プラ・廃油は、工場や研究所などから回収され、油化プラントなどの既存の再生装置によって重油相当や軽油相当などの再生燃料に再生される。そして、この再生燃料は、エリア別に集計された過不足情報に基づいて、リサイクル本部１によって、エリア支部２に対して、燃料余剰地域から燃料不足地域に搬送する搬送量や搬送経路を指示する信号を送るようになっている。その結果、再生燃料は、リサイクル本部１の管理下で、最適な方法で余剰地域から不足地域に送られることになって、資源の有効利用を図ることができる。
【００３５】
また、リサイクル本部１は、エリア支部２とユーザー３ａ，３ｂとの間の再生燃料の流通情報を集中管理する。その結果、リサイクル本部１は、再生燃料の流通に応じて容易にコミッションを受け取ることができるシステムを容易に構築することができる。
【００３６】
【発明の効果】
以上のように、本発明に係る廃プラ・廃油のリサイクルシステムによると、リサイクル本部と、所定範囲の地域を管轄するエリア支部と、再生燃料を使用するユーザーとをインターネットを介して相互に接続し、エリア支部やユーザーからの再生燃料の過不足情報をリサイクル本部に送り、リサイクル本部のホストコンピュータにより、燃料余剰地域のエリア支部から燃料不足地域のエリア支部に再生燃料を送るようになっている。これにより、各地域ごとに、燃料の需給情報や、廃プラ・廃油で生成された再生燃料に関する情報がリサイクル本部で一括管理され、再生燃料の過不足状況を緩和することができる。よって、企業などで排出された廃プラ・廃油を無駄に廃棄することなく、資源の有効利用を図ることができる。
【図面の簡単な説明】
【図１】本発明に係る廃プラ・廃油のリサイクルシステムで、リサイクル本部・エリア支部・ユーザーの間における関係を示す図である。
【図２】リサイクル本部・エリア支部・ユーザーの間で、エリアごとの関係を示す図である。
【図３】リサイクルフローにおけるエリア支部の役割を説明する図である。
【図４】エリア支部およびユーザーの過不足状態を示す図である。
【図５】再生燃料およびその情報の流れを示す図である。
【図６】従来の廃プラ・廃油のリサイクルシステムの概略構成図である。
【図７】ガソリンステーションなどに設置された混合プラントの管理システムを示す概略構成図である。
【符号の説明】
１          リサイクル本部
２          エリア支部
３ａ        エリア内ユーザー
３ｂ        エリア外ユーザー
４          廃プラサプライヤー
【図１】
2004348624.tif 000003
【図２】
2004348624.tif 000004
【図３】
2004348624.tif 000005
【図４】
2004348624.tif 000006
【図５】
2004348624.tif 000007
【図６】
2004348624.tif 000008
【図７】
2004348624.tif 000009